(57)【要約】【課題】強度、耐熱性に優れ、強固なヒートシールが可能で、ヒートシール模様の裏面への浮き出しが少ない積層体を提供する。【解決手段】紙の少なくとも一方の面にポリエチレン層がラミネートされたポリエチレンラミネート紙と、ポリエチレン層とポリエステル層とを積層した積層フィルムとが、ポリエチレンラミネート紙のポリエチレン層と積層フィルムのポリエチレン層が互いに面するように重ね合わされ、前記積層フィルムの一部が前記ポリエチレンラミネート紙にヒートシールされてなる積層体、前記積層体がＣＤ収納スペースを残した状態でその周囲をヒートシールされ、さらに該収納スペースへのＣＤ出し入れ用切り込みが設けられているＣＤホルダ、及び、前記ポリエチレンラミネート紙と前記積層フィルムとを前記各々のポリエチレン層が互いに面するように重ね合わせ、所定のパターンでヒートシールする積層体の製造方法。【選択図】　図１
2004106904.tif 000002
【特許請求の範囲】
【請求項１】
紙の少なくとも一方の面にポリエチレン層がラミネートされたポリエチレンラミネート紙と、ポリエチレン層とポリエステル層とを積層した積層フィルムとが、前記各々のポリエチレン層が互いに面するように重ね合わされ、前記積層フィルムの一部が前記ポリエチレンラミネート紙にヒートシールされてなる積層体。
【請求項２】
紙の両面にポリエチレン層がラミネートされたポリエチレンラミネート紙の両面に、ポリエチレン層とポリエステル層とを積層した第１及び第２の積層フィルムが、前記各々のポリエチレン層が互いに面するように重ね合わされ、前記第１及び第２の積層フィルムの一部が前記ポリエチレンラミネート紙にヒートシールされてなる積層体。
【請求項３】
前記積層体が、袋状部を形成するようにヒートシールされてしていることを特徴とする請求項１または２記載の積層体。
【請求項４】
紙の少なくとも一方の面にポリエチレン層がラミネートされたポリエチレンラミネート紙と、ポリエチレン層とポリエステル層とを積層した積層フィルムとが、前記各々のポリエチレン層が互いに面するように重ね合わされてなる積層体が、コンパクトディスクの収納スペースを残した状態でその周囲をヒートシールされ、さらに該収納スペースへのコンパクトディスク収納・取り出し用切り込みが設けられていることを特徴とするコンパクトディスクホルダ。
【請求項５】
ポリエチレン層とポリエステル層とを積層した２枚の積層フィルムが、前記各々のポリエチレン層が互いに面するように重ね合わされてなる積層体が、コンパクトディスクの収納スペースを残した状態でその周囲をヒートシールされ、さらに該収納スペースへのコンパクトディスク収納・取り出し用切り込みが設けられていることを特徴とするコンパクトディスクホルダ。
【請求項６】
紙の少なくとも一方の面にポリエチレン層がラミネートされたポリエチレンラミネート紙と、ポリエチレン層とポリエステル層とを積層した積層フィルムとを、前記各々のポリエチレン層が互いに面するように重ね合わせ、所定のパターンでヒートシールすることを特徴とする積層体の製造方法。
【請求項７】
前記ヒートシールが加熱したシールバーの接触によることを特徴とする請求項６記載の製造方法。
【発明の詳細な説明】
【０００１】
【発明の属する技術分野】
本発明はヒートシールされた積層体、その製造方法及びコンパクトディスク（以下、ＣＤという）ホルダに関する。
【０００２】
【従来の技術】
紙等のベースとなるシートと、ヒートシール可能なシートを積層した積層体は、物品の収納や個別包装等に広く用いられている。
例えば封書などの包装には、紙と二軸延伸ポリプロピレンフィルムとをヒートシールした積層体が用いられている。
また、熱融着性樹脂からなる不織布と透明樹脂シートとをヒートシールした積層体が開示されている。（例えば、特許文献１参照）
この場合、透明樹脂シートとしては塩化ビニルのシートが用いられている。
【０００３】
【特許文献１】
特開平９−７７１７０号公報
【０００４】
【発明が解決しようとする課題】
しかし、紙と二軸延伸ポリプロピレンフィルムとの積層体は、二軸延伸ポリプロピレンフィルムの二軸延伸温度、熱セット温度が比較的低いため、ヒートシール時にフィルム温度がこれらの温度より高温になると、二軸延伸ポリプロピレンフィルムが収縮して形態を維持できなくなる。
そのため、ヒートシールを比較的低温で行わざるを得ず、結果としてヒートシールの接着力が弱いものとなってしまう。
また、全面に熱をかけずに細かなメッシュ、あるいはドット状にヒートシールすることで細かなメッシュあるいはドット以外の部分の変形を抑える方法も採用されている。この場合、裏面にもメッシュ状、ドット状の凹凸が形成されるので、裏面に良好な印刷をすることができなくなる。
【０００５】
特開平９−７７１７０号に記載の積層体は、フィルムに塩化ビニルシートを用いている。この場合、塩化ビニルシートは高周波シール及び超音波シールでしかヒートシールできないため、シールに時間がかかること、通常の不織布は印刷適性に劣り、良好な印刷ができないという問題がある。また、この積層体もヒートシール模様が不織布面に浮き出してくるため、裏面に良好な印刷ができないという問題もある。
【０００６】
従って、ベースとなる紙面に印刷した積層体が要求された場合、先に紙面に印刷した後、ヒートシールして積層体とする必要があった。
所定のパターンにヒートシールした製品の必要な１ロット数と、印刷のロット数ではヒートシールした製品の必要ロット数が各段に大きく、ヒートシールした未印刷の積層体を在庫として保有しておき、印刷積層体の要請の都度、在庫品に印刷を施すことができると、大きな合理化になることから、ヒートシール後でもその裏面に印刷可能な積層体が強く要望されている。
【０００７】
本発明は、このような状況から、強度、耐熱性に優れ、強固なヒートシールが可能で、かつベースとなるシートに印刷が可能で、しかもヒートシール模様の裏面への浮き出しが少なく、ヒートシール後の印刷も可能な積層体を提供することを課題とする。
【０００８】
【課題を解決するための手段】
本発明における請求項１に記載の積層体は、紙の少なくとも一方の面にポリエチレン層がラミネートされたポリエチレンラミネート紙と、ポリエチレン層とポリエステル層とを積層した積層フィルムとが、前記各々のポリエチレン層が互いに面するように重ね合わされ、前記積層フィルムの一部が前記ポリエチレンラミネート紙にヒートシールされてなることを特徴とする。
また、本発明における請求項２に記載の積層体は、紙の両面にポリエチレン層がラミネートされたポリエチレンラミネート紙の両面に、ポリエチレン層とポリエステル層とを積層した第１及び第２の積層フィルムが、前記各々のポリエチレン層が互いに面するように重ね合わされ、前記第１及び第２の積層フィルムの一部が前記ポリエチレンラミネート紙にヒートシールされてなることを特徴とする。
【０００９】
本発明のコンパクトディスクホルダは、紙の少なくとも一方の面にポリエチレン層がラミネートされたポリエチレンラミネート紙と、ポリエチレン層とポリエステル層とを積層した積層フィルムとが、前記各々のポリエチレン層が互いに面するように重ね合わされてなる積層体が、コンパクトディスクの収納スペースを残した状態でその周囲をヒートシールされ、さらに該収納スペースへのコンパクトディスク収納・取り出し用切り込みが設けられていることを特徴とする。
また、本発明の他のコンパクトディスクホルダは、ポリエチレン層とポリエステル層とを積層した２枚の積層フィルムが、前記各々のポリエチレン層が互いに面するように重ね合わされてなる積層体が、コンパクトディスクの収納スペースを残した状態でその周囲をヒートシールされ、さらに該収納スペースへのコンパクトディスク収納・取り出し用切り込みが設けられていることを特徴とする。
また、本発明の積層体の製造方法は、紙の少なくとも一方の面にポリエチレン層がラミネートされたポリエチレンラミネート紙と、ポリエチレン層とポリエステル層とを積層した積層フィルムとを、前記各々のポリエチレン層が互いに面するように重ね合わせ、所定のパターンでヒートシールすることを特徴とする。
【００１０】
【発明の実施の形態】
以下に、図面を用いて本発明の実施の形態を説明する。
図１は本発明の１実施形態例を示す積層体１１の断面模式図であり、ここでは紙１の一方の面にのみポリエチレン層２を設けたポリエチレンラミネート紙３を用いている。
このポリエチレンラミネート紙３と、ポリエチレン層４とポリエステル層５とを積層した１枚の積層フィルム６とが、各々のポリエチレン層２、４が互いに面するように重ね合わせられて積層体となっている。そして、積層フィルム６の一部がポリエチレンラミネート紙３にヒートシールされている。
図１におけるポリエチレン層２と４の間の境界線の消えている部分がヒートシールされたヒートシール部１０、１０であり、ヒートシールにより、両方のポリエチレン層が融着している。
このヒートシール部１０は、例えば、ポリエチレンラミネート紙３と積層フィルム６との間に袋状部を形成するように設けることができる。
【００１１】
図２は、かかる袋状部を設けた積層体の一例で、ほぼ矩形のポリエチレンラミネート紙３と積層フィルム６とを重ね合わせ、３方の辺にヒートシール部１０が設けられている。これにより、収納スペース３１と、この収納スペース３１に収納物を出し入れするための開口部３２とを有する袋体とすることができる。
【００１２】
図３は本発明の他の実施形態例を示す積層体の断面模式図であり、ここでは紙１の両面にポリエチレン層２、２’を設けたポリエチレンラミネート紙３を用いている。
このポリエチレンラミネート紙３を介して、ポリエチレン層４とポリエステル層５とを積層した２枚の積層フィルム６とが、ポリエチレンラミネート紙３のポリエチレン層２、２’と積層フィルム６、６’のポリエチレン層４、４’が互いに面するように重ね合わせられている。
図１の場合と同様に、ポリエチレン層２と４の間、２’と４’の間の境界線の消えている部分がヒートシール部２１、２２であり、ヒートシールにより、それぞれのポリエチレン層が融着している。
【００１３】
本発明において用いられるポリエチレンラミネート紙は、図１に示すように紙１の一方の面にのみポリエチレン層２を設けたものでもよく、図３に示すように、紙１の両面にポリエチレン層２、２’を設けたものでもよい。
ポリエチレンラミネート紙３に用いられる紙１としては、特に限定されるものではなく、上質紙、コート紙、アート紙等を例示できる。紙の坪量（１ｍ２あたりの重量）は１００〜１３０ｇであることが好ましい。
ポリエチレンラミネート紙３のポリエチレン層２に用いられるポリエチレンは、低密度ポリエチレン、中でも線状低密度ポリエチレンが好ましく用いられる。ラミネート紙におけるポリエチレン層の厚さは、１５〜２０μｍであることが好ましい。
【００１４】
本発明において用いられる積層フィルム６、６’のポリエチレン４、４’としてはポリエチレン層２で用いられたと同様のポリエチレンが用いられる。
積層フィルム６、６’のポリエステル層５、５’で用いられるポリエステルとしては、ポリエチレンテレフタレート（ＰＥＴ）、ポリエチレンナフタレート（ＰＥＮ）等を例示できるが、価格等の面からＰＥＴが好ましく用いられる。積層フィルム６、６’におけるポリエチレン層４、４’の厚さは３０〜５０μｍであることが好ましく、ポリエステル層５、５’の厚さは１２〜１６μｍであることが好ましい。
【００１５】
本発明において、ヒートシール部１０、２１、２２を設ける位置は、得られる積層体の使用目的に応じて適宜選択すればよく、例えば、写真やネガフィルム収納目的の場合は、その写真、ネガフィルム収納スペースを残した状態でその周囲に設ければよい。この場合、写真、ネガフィルム収納・取り出し口は、図２のように、収納スペースにつながる積層体の端部をヒートシールしないでおいてもよく、収納スペースに切り込みを設けてもよい。１枚の積層体に設ける収納スペースの数は１つに限られることなく、積層体と収納されるものの大きさに合わせて複数個の収納スペースを設けてもよい。切手やラベル、印紙収納の場合は多数の収納スペースを設けることができる。
【００１６】
本発明のＣＤホルダにおけるポリエチレンラミネート紙も上述のポリエチレンラミネート紙と同様のものを用いることができ、積層フィルムも、上述の積層体と同様のものを用いることができる。ただし、積層体の大きさはＣＤより大きいサイズである必要がある。
本発明のＣＤホルダは、ポリエチレンラミネート紙と１枚又は２枚の積層フィルムが各々のポリエチレン層が互いに面するように重ね合わされてなる積層体が、ＣＤの収納スペースを残した状態でその周囲をヒートシールされている。
【００１７】
図４に本発明のＣＤホルダの１実施形態例を示す。
本実施形態のＣＤホルダは、図１で説明した積層体１１で構成されている。
ＣＤの収納スペース１２の形状としては、例えば、その底部がＣＤを収納可能な大きさの半円形で、上部はこの半円形が構成された円の直径の幅で上部に延在している形状を例示でき、その周囲１３がヒートシールされている。
図４の例では、積層体１１の周囲４辺１４もヒートシールされており、周囲の４辺１４のヒートシールの一部１５がＣＤの収納スペースの周囲１３の一部をかねている。
この収納スペースへのコンパクトディスク収納・取り出しのため、例えば、前述の円の直径の幅で上部に延在している部分に、切り込み１６が設けられている。切り込みの幅はＣＤが通過できる幅であればよい。
【００１８】
この形態例では、図４におけるＣＤホルダの収納スペースの左側は、このＣＤホルダを本などに綴じ込む場合の綴じ込み代部で、この部分には補強のため、綴じ込み代部の側辺からＣＤ収納スペースに向けて横方向のシール線１７を複数個設けている。
図４の例では、１つの積層体に１つのＣＤ収納スペースを設けた例を示したが、大きなサイズの積層体を用いて２つのＣＤ収納スペースを設けてもよい。又、ポリエチレンラミネート紙の両面にそれぞれ積層フィルムを積層した積層体では、裏面にもＣＤ収納スペースを設けて、１枚の積層体で２つ又は４つのＣＤ収納スペースを設けることもできる。
【００１９】
本発明のＣＤホルダの他の実施形態は、２枚の積層フィルムが各々のポリエチレン層が互いに面するように重ね合わされてなる積層体が、ＣＤの収納スペースを残した状態でその周囲をヒートシールされている。このＣＤホルダも、例えば、その底部がＣＤを収納可能な大きさの半円形で、上部はこの半円形が構成された円の直径の幅で上部に延在している形状の周囲がヒートシールされているヒートシール形状を例示できる。また、このＣＤホルダを本などに綴じ込む場合の綴じ込み代部に、補強のため、綴じ込み代部の側辺からＣＤ収納スペースに向けて横方向のシール線を複数個設けてもよい。
【００２０】
本発明の積層体の製造方法においては、紙の少なくとも一方の面にポリエチレン層がラミネートされたポリエチレンラミネート紙と、ポリエチレン層とポリエステル層とを積層した積層フィルムとを用い、これらの各々のポリエチレン層が互いに面するように重ね合わせ、所定のパターンでヒートシールする。ポリエチレンラミネート紙として、一方の面のみにポリエチレン層を設けた場合は、ポリエチレンラミネート紙と１枚の積層フィルムとを重ね、両面にポリエチレン層を設けたものを用いた場合は、ポリエチレンラミネート紙を２枚の積層フィルムで挟み込むように重ねる。次いで、所定のパターンでヒートシールする。
ヒートシール方法としては、加熱したシールバーを所定のパターンとなるように積層体に接触させる方法が好ましい。ヒートシール温度は１３０〜１８０℃であることが好ましい。この温度範囲でのヒートシールを行うと、１〜２秒の接触でも充分なヒートシールが可能で、生産性が向上する。
【００２１】
【発明の効果】
本発明の積層体はポリエチレンラミネート紙と、ポリエチレン層とポリエステル層とを積層した積層フィルムとを積層してなるので、ヒートシール部分はポリエチレン同士が融合するので強固なヒートシールが可能である。また、ポリエステルの融点はポリエチレンの融点よりはるかに高いので、ヒートシールによりポリエステル層が傷められるおそれがない。
又、ヒートシールにあたって、ポリエステル層が剛性に優れるため、ヒートシール部の模様が紙側に強く表れることがない。従って、紙の積層フィルムが積層されていない面にヒートシール後に印刷しても、良好な印刷ができる。
従って、ヒートシールした未印刷の積層体を在庫として保有しておき、印刷した積層体の要請がある都度、在庫品に所望の印刷を施して供給することができ、大きな合理化となる。
【００２２】
従来の本や雑誌に付録として綴じ込まれていたＣＤホルダが、板紙を貼り合わせて、ＣＤを収納する円形窪みを設けたもので、分厚く、製本工程の取り扱いが困難であり、撓まないので取り扱いも困難であったのに対し、本発明のＣＤホルダは、ポリエチレンラミネート紙と１枚又は２枚の積層フィルムとからなるのでかさばらず、製本も、取り扱いも容易となる。また、本発明のＣＤホルダは、ＣＤがポリエチレンラミネート紙と積層フィルムの間に収納され、積層フィルムが透明であるので、ＣＤの盤面を積層フィルム側から見て、ＣＤ収録内容の記載を確認できる。
ＣＤホルダが、一方の面にのみエチレン層を有するポリエチレンラミネート紙を用いてなるものである場合は、ヒートシールによりＣＤホルダを成形後も、ヒートシール部の模様が紙面に表れることがないので、ＣＤホルダ成形後の注文に応じて紙面に印刷することができる。
ＣＤホルダが２枚の積層フィルムのみからなるものである場合は、紙を用いた場合に比べさらに薄くすることができる。
ＣＤホルダが、ポリエチレンラミネート紙とポリエチレンポリエステル積層フィルムを用いてなるものの場合も、２枚のポリエチレンポリエステル積層フィルムを用いてなるものの場合も、これらを積層した積層体に、所定のパターンでヒートシールするだけで、ＣＤホルダのように複雑なシール形状であっても、容易に、かつ強固にヒートシールできるという特徴を有する。
【００２３】
本発明の積層体の製造方法によれば、ポリエチレンラミネート紙と、ポリエチレン層とポリエステル層とを有する積層フィルムとを積層してヒートシールしてヒートシール部においてポリエチレン同士を融着させるので、強固なヒートシールが可能である。
また、積層フィルムとしてポリエステル層を有するものを用いているので、ヒートシール時にポリエチレン層が溶融する温度がかかってもポリエステル層が部分的にも融解することがない。従って、シールバーがポリエチレンで汚れることがないという特徴を有する。しかも、ヒートシール部の模様が紙面に表れることがないので、ヒートシール後でも紙面に印刷することができる。
【図面の簡単な説明】
【図１】本発明の１実施形態例を示す積層体の断面模式図である。
【図２】袋状部を設けた積層体の一例を示す斜視図である。
【図３】本発明の他の実施形態例を示す積層体の断面模式図である。
【図４】本発明のＣＤホルダの１実施形態例を示す平面図である。
【符号の説明】
１：紙、２、２’：ポリエチレン層、４、４’：ポリエチレン層、５、５’：ポリエステル層、１２：ＣＤの収納スペース、１３：ＣＤの収納スペースの周囲、１４：積層体の周囲４辺、１６：切り込み、１７：横方向のシール線
【図１】
2004106904.tif 000003
【図２】
2004106904.tif 000004
【図３】
2004106904.tif 000005
【図４】
2004106904.tif 000006